(57)【要約】【課題】本発明は、肥料の利用率を高めた遅効性を有するマトリックス型粒状複合肥料の製造方法及び該方法により得られたマトリックス型粒状複合肥料に関する。【解決手段】本発明に係る方法は、結合剤として天然または合成高分子及び養分吸収能を有する増量剤を混合及び乾燥した後、粉砕して養分吸収能を有する添加物を製造する段階と、上記養分吸収能を有する添加物と肥料成分を均一に混合及び乾燥してマトリックス型粒状複合肥料を製造する段階、とを含む。【選択図】図１
2016522150.tif 000002
【特許請求の範囲】
【請求項１】
結合剤として天然または合成高分子０．１重量％乃至５０重量％及び養分吸収能を有する増量剤５０乃至９９．９重量％を混合及び乾燥した後粉砕して養分吸収能を有する添加物を製造する段階；及び
前記養分吸収能を有する添加物と肥料成分を均一に混合及び乾燥してマトリックス型粒状複合肥料を製造する段階；を含む遅効性を有するマトリックス型粒状複合肥料の製造方法。
【請求項２】
前記高分子物質としては、ポリアクリルアミド、ポリビニールアセテート、ポリビニールアセテートコポリマー（−エチレン）、ポリビニールアルコールとポリビニールアルコールのコポリマー、エチルセルロース、メチルセルロース、ヒドロキシメチルセルロース、ヒドロキシプロピルセルロース、ヒドロキシプロピルメチルセルロース、カルボキシリックポリマー、ポリビニールピロリドン、デキストリン、マルトデキストリン、ポリサッカライド、塩化ビニリデンコポリマー、澱粉、ソジウムリグノスルホン酸、カルシウムリグノスルホン酸、アルギネイト及びポリクロロプレンからなる群から２種以上選択されることを特徴とする請求項１に記載のマトリックス型粒状複合肥料の製造方法。
【請求項３】
前記養分吸収能を有する増量剤としては、カルシウムベントナイト、シリカヒドロゲル、澱粉、澱粉誘導体、改質されたリグノスルホン酸、風化炭、石炭、活性炭、ゼオライト、アタパルジャイト、リン酸一水素マグネシウム三水和物、ソジウムマグネシウムシリケート、合成カルシウムシリケート、バーミキュライト、腐植質、アクリレイトコポリマー、二酸化珪素、活性化された粘土、アルミノシリケート、及びソジウムアルミノシリケートからなる群から２種以上選択されることを特徴とする請求項１に記載のマトリックス型粒状複合肥料の製造方法。
【請求項４】
前記養分吸収能を有する添加物の製造時、高分子は添加物の総重量に対して０．１乃至５０重量％で含まれ、養分吸収能を有する増量剤は５０乃至９９．９重量％で含まれることを特徴とする請求項１に記載のマトリックス型粒状複合肥料の製造方法。
【請求項５】
前記養分吸収能を有する添加物の製造時に含まれる養分吸収能を有する増量剤は無機増量剤及び有機増量剤が重量比で３：７乃至７：３に混合されることを特徴とする請求項１に記載のマトリックス型粒状複合肥料の製造方法。
【請求項６】
前記養分吸収能を有する添加物の製造時、乾燥は８０℃乃至１００℃の温度で２０分乃至１時間乾燥されることを特徴とする請求項１に記載のマトリックス型粒状複合肥料の製造方法。
【請求項７】
前記粉砕は１５０メッシュ以下に粉砕することを特徴とする請求項１に記載のマトリックス型粒状複合肥料の製造方法。
【請求項８】
前記養分吸収能を有する添加物は肥料成分の重量に対して５乃至２５重量％の範囲内で混合されることを特徴とする請求項１に記載のマトリックス型粒状複合肥料の製造方法。
【請求項９】
前記マトリックス型粒状複合肥料を製造する段階はｉ）養分吸収能を有する添加物と肥料成分を均一に混合する段階；ｉｉ）前記混合物を造粒機を用いて造粒し粒状化する段階；及びｉｉｉ）造粒された粒状を乾燥する段階を含むことを特徴とする請求項１に記載のマトリックス型粒状複合肥料の製造方法。
【請求項１０】
前記マトリックス型粒状複合肥料を製造する段階において、前記造粒機ではドラム型またはファン型造粒機が使われ、前記乾燥は３００℃乃至４５０℃の温度で３０分乃至４０分間乾燥することを特徴とする請求項１に記載のマトリックス型粒状複合肥料の製造方法。
【請求項１１】
請求項１乃至請求項１０のいずれか一つの項に記載の製造方法により製造された遅効性を有することを特徴とするマトリックス型粒状複合肥料。
【発明の詳細な説明】
【技術分野】
【０００１】
本発明は、肥料の利用率を高めた遅効性を有するマトリックス型粒状複合肥料の製造方法及び該方法により得られたマトリックス型粒状複合肥料に関するもので、より詳しくは肥料養分の作物に対する利用率を高めるため、肥料養分の土壌中の消失を最小化するための方法であって、既存に使われてきた被覆形態とは異なり、肥料養分を保持し、長期間に亘って養分を有効化することのできる養分吸収増量剤を使って粒状マトリックス型に製造し、肥料養分の遅効性を確保したマトリックス型粒状複合肥料の製造方法及び該方法により得られたマトリックス型粒状複合肥料に関するものである。
【背景技術】
【０００２】
従来農業分野では、固体粒状肥料、液状肥料、速効性肥料、緩効性肥料等、様々な種類の肥料が開発され、使われていた。この中で、特に、肥料粒子の表面を高分子化合物などで被覆した肥料が緩効性肥料として主に使われていた。しかし、被覆肥料は被膜が長期間土壌で分解できずに残留する問題があり、また製造過程で高分子を使い、流動層被覆器、ドラム被覆器など高価の設備を使うため、一般的な肥料と比べて高い価格で普及が拡散できない問題がある。それにもかかわらず、肥料成分が長期間に亘って徐々に溶出され、施肥回数を減らすことができるというメリットによって最近の農業人口の減少に対応する省力型肥料として注目されている。
【０００３】
韓国特許公開公報第１９９６００２２４０８Ａ号では、樹脂と肥料を混合した後、圧出器を通じて圧出させて樹脂が肥料成分をマトリックス型に被覆させることで肥料成分の溶出速度を低下させる方法を提案している。しかし、上記方法は高価の樹脂を使い、樹脂使用量が多いため、商品化するのに問題があるというデメリットがある。
【０００４】
韓国登録特許第１０−０８５０１８６号では植物の肥料利用効率を改善させるための補助剤としてポリアスパラギン酸を含む植物栄養肥料組成物及び複合肥料の製造時、ポリアスパラギン酸を０．１乃至１０％添加して肥料利用率を高める肥料製造方法を開示している。しかし、上記方法で製造された複合肥料は、ポリアスパラギン酸による肥料成分溶脱抑制効果で肥料利用率は向上するが、追肥が必要な作物の場合、追肥をする必要があるため、省力的な効果が落ちる問題がある。
【０００５】
また、米国特許第６，７４９，６５９号では、硫酸アンモニウムの水中溶解速度の遅延のため、マトリックスの概念を用いた特許でマトリックス形成物質では無機硫黄と膨潤性粘土を使うことを開示している。上記特許では製造過程中無機硫黄を溶融させて液状の粘土無機硫黄を用意し、ここに肥料成分を混合し粒状化して製造する。製造された粒状肥料は粒子の大きさによって溶出率が決定され、１〜２ｍｍの粒子が２〜４ｍｍの粒子より溶出時間が２倍程度早かった。上記特許では遅効性を発揮する仕組みで負電荷を帯びる粘土とアンモニウムイオンの間に静電気的相互作用によって養分粒子の外部への放出を抑制するものと思われる。
【０００６】
また、中国特許第１０１８５７４９０Ａ号では栄養成分の放出速度を調節することのできる複合肥料を開示している。上記特許では肥料成分を溶融して、ここにアタパルジャイト（Ａｔｔａｐｕｌｇｉｔｅ）という保湿膨潤性粘土鉱物を混合して塔状造粒機の上層で噴霧落下しながら粒状化する方法で製造される遅効性肥料を提示している。しかし、上記方法は遅効性を得ることはできるが、製造過程が複雑であり、新規設備投資が必要であるという問題がある。
【０００７】
米国特許第７，２５２，６９７Ｂ２号では遅効性を有するリン酸アンモニウム肥料の製造方法を開示している。上記方法はスラリー状のリン酸アンモニウムにゼオライト、モンモリロナイトなどの粘土鉱物を混合し、硫酸を混合して酸性化した後、粒状化する方法により製造される遅効性肥料である。しかし、遅効性に関する記載はなく、土壌中のリン酸の固定抑制によって、リン酸の利用率を向上させる効果のみを開示している。
【０００８】
ここで、本発明者らは、まず養分吸収能が高い増量剤と結合剤で養分吸収能が高い添加物を製造し、次に、添加剤と複合肥料を均一に混合して粒状マトリックス型に製造する場合、一般複合肥料製造施設をそのまま利用することができ、上記方法によって製造される粒状マトリックス型複合肥料は土壌に施肥された後、肥料養分を長期間吸着保持し、吸着保持された肥料養分は一般複合肥料と異なり、土壌中の溶脱、流去による損失が減少し、作物に対する肥料利用率を高めることを見出し、本発明を完成するに至った。
【発明の概要】
【発明が解決しようとする課題】
【０００９】
したがって、本発明が解決しようとする課題の一つは、養分吸収増量剤を用いた遅効性を有するマトリックス型粒状複合肥料の製造方法を提供することである。
【００１０】
本発明が解決しようとするもう一つの課題は、上記養分吸収増量剤を用いた遅効性を有するマトリックス型粒状複合肥料の製造方法から得られたマトリックス型粒状複合肥料を提供することである。
【課題を解決するための手段】
【００１１】
上記課題を解決するために、本発明は、
【００１２】
結合剤として天然または合成高分子及び養分吸収能を有する増量剤を混合、及び乾燥した後、粉砕して養分吸収能を有する添加物を製造する段階；及び
【００１３】
上記養分吸収能を有する添加物と肥料成分を均一に混合及び乾燥してマトリックス型粒状複合肥料を製造する段階；を含む遅効性を有するマトリックス型粒状複合肥料の製造方法を提供する。
【００１４】
本発明に係る遅効性を有するマトリックス型粒状複合肥料の製造方法において、上記高分子物質としては、ポリアクリルアミド、ポリビニールアセテート、ポリビニールアセテートコポリマー（−エチレン）、ポリビニールアルコールとポリビニールアルコールのコポリマー、エチルセルロース、メチルセルロース、ヒドロキシメチルセルロース、ヒドロキシプロピルセルロース、ヒドロキシメチルプロピルセルロース、カルボキシリックポリマー、ポリビニールピロリドン、デキストリン、マルトデキストリン、ポリサッカライド、塩化ビニリデンコポリマー、澱粉、ソジウムリグノスルホン酸、カルシウムリグノスルホン酸、アルギネイト及びポリクロロプレンからなる群から選ばれた２種以上のものが好ましく、上記養分吸収能を有する増量剤ではカルシウムベントナイト、シリカヒドロゲル、澱粉、澱粉誘導体、改質されたリグノスルホン酸、風化炭、石炭、活性炭、ゼオライト、アタパルジャイト、リン酸一水素マグネシウム三水和物、ソジウムマグネシウムシリケート、合成カルシウムシリケート、バーミキュライト、腐植質、アクリレイトコポリマー、二酸化珪素、活性化された粘土、アルミノシリケート、及びソジウムアルミノシリケートからなる群から選ばれた２種以上であることが好ましい。
【００１５】
上記養分吸収能を有する添加物の製造時、高分子は添加物総重量に対して０．１乃至５０重量％で含まれ、養分吸収能を有する増量剤は５０乃至９９．９重量％で含まれることが好ましい。
【００１６】
また、上記養分吸収能を有する添加物の製造時に含まれる養分吸収能を有する増量剤は無機増量剤及び有機増量剤が重量比で３：７乃至７：３に混合することが好ましい。
【００１７】
また、上記養分吸収能を有する添加物の製造段階において、上記乾燥は８０乃至１００℃の温度で２０分乃至１時間乾燥することが好ましく、上記粉砕は１５０メッシュ以下に粉砕することが好ましい。
【００１８】
また、上記養分吸収能を有する添加物と肥料成分の混合時、上記養分吸収能を有する添加物は肥料成分の重量に対して５乃至２５重量％の範囲内で混合することが好ましい。
【００１９】
また、上記マトリックス型粒状複合肥料の製造段階は、ｉ）養分吸収能を有する添加物と肥料成分を均一に混合する段階；ｉｉ）上記混合物を造粒機を用いて造粒し粒状化する段階；及びｉｉｉ）造粒された粒状を乾燥する段階を含むことが好ましい。
【００２０】
ここで、上記造粒機としては、ドラム型またはファン型造粒機が使われて、上記乾燥は３００乃至４５０℃の温度で３０乃至４０分間乾燥することが好ましい。
【００２１】
もう一つの課題を解決するために、本発明は結合剤として天然または合成高分子０．１重量％乃至５０重量％及び養分吸収能を有する増量剤５０乃至９９．９重量％を混合、及び乾燥した後、粉砕して養分吸収能を有する添加物を製造する段階；上記養分吸収能を有する添加物と肥料成分を均一に混合及び乾燥してマトリックス型粒状複合肥料を製造する段階を含む方法により製造された遅効性を有するマトリックス型粒状複合肥料を提供する。
【発明の効果】
【００２２】
本発明で製造された複合肥料は土壌に使われた後、肥料養分を吸着して遺失を防止するため、作物の全体生育期間の間追肥の必要がなく、老齢化が深刻になる状況で労動力を節減することができ、側条施肥が可能になり機械化に適応することができる省力的な遅効性肥料である。
【００２３】
既存の高分子被覆を通じて緩効性を持つ被覆肥料やＵＦ、ＣＤＵ、ＩＢＤＵのような化学的緩効性肥料は、製造過程が複雑で原料が高価であるため、製品の価格が高くて消費者に負担がかかったことに対し、本発明によって製造される遅効性肥料は製造工程は一般複合肥料製造工程をそのまま用いることができるため、工程が単純で、使用する原料が安価であるため、低コストで消費者に供給できるメリットがある。
【図面の簡単な説明】
【００２４】
【図１】一般複合肥料（ａ）及び本発明の複合肥料（ｂ）の粒子の切断面を蒸留水未処理及び蒸留水処理済に分けて光学顕微鏡で撮影した写真である。
【００２５】
【図２】一般複合肥料（ａ）及び本発明の複合肥料（ｂ）の粉状を蒸留水未処理及び蒸留水処理済に分けて光学顕微鏡で撮影した写真である。
【発明を実施するための具体的な内容】
【００２６】
以下、本発明をより詳しく説明する。
【００２７】
本発明に係る遅効性を有するマトリックス型粒状複合肥料を製造する方法は、結合剤として天然または合成高分子及び養分吸収能を有する増量剤を混合及び乾燥した後、粉砕して養分吸収能を有する添加物を製造する段階；及び上記養分吸収能を有する添加物と肥料成分を均一に混合及び乾燥してマトリックス型粒状複合肥料を製造する段階を含む。
【００２８】
上記各段階の詳細は、下記の通りである。
【００２９】
（１）  養分吸収能を有する添加物の製造段階
【００３０】
養分吸収能を有する添加物を製造する段階は、養分吸収能を有し、肥料粒状製造時、結合剤の役割をする天然または合成高分子と、養分吸収能を有する増量剤とを混合及び乾燥した後、粉砕することである。
【００３１】
ここで、天然または合成高分子は養分吸収能を有する増量剤とマトリックスを形成する役割をし、これらの具体例として、これに限定されるものではないが、ポリアクリルアミド、ポリビニールアセテート、ポリビニールアセテートコポリマー（−エチレン）、ポリビニールアルコールとポリビニールアルコールのコポリマー、エチルセルロース、メチルセルロース、ヒドロキシメチルセルロース、ヒドロキシプロピルセルロース、ヒドロキシメチルプロピルセルロース、カルボキシリックポリマー、ポリビニールピロリドン、デキストリン、マルトデキストリン、ポリサッカライド、塩化ビニリデンコポリマー、澱粉、ソジウムリグノスルホン酸、カルシウムリグノスルホン酸、アルギネイト及びポリクロロプレンからなる群から２種以上選択されることが好ましい。
【００３２】
また、養分吸収能を有する増量剤としては無機増量剤及び有機増量剤から選択されることが好ましく、より好ましくは無機増量剤と有機増量剤の混合物が挙げられる。上記無機増量剤及び有機増量剤としては、これに限定されるものではないが、カルシウムベントナイト、シリカヒドロゲル、澱粉、澱粉誘導体、改質されたリグノスルホン酸、風化炭、石炭、活性炭、ゼオライト、アタパルジャイト、リン酸一水素マグネシウム三水和物、ソジウムマグネシウムシリケート、合成カルシウムシリケート、バーミキュライト、腐植質、アクリレイトコポリマー、二酸化珪素、活性化された粘土、アルミノシリケート、及びソジウムアルミノシリケートからなる群から２種以上選択されることが好ましい。
【００３３】
上記高分子は添加物の総重量に対して０．１乃至５０重量％の量で含まれ、好ましくは１乃至４０重量％の量で含まれ、最も好ましくは１０乃至２０重量％の量で含まれる。また、上記増量剤は添加物の総重量に対して５０乃至９９．９重量％の量で含まれ、好ましくは６０乃至９９重量％であり、最も好ましくは８０乃至９０重量％の量で含まれる。
【００３４】
上記高分子が０．１重量％未満で混合する場合、肥料を粒状化するにおいて結合剤として十分に働かない時があり、５０重量％を超えて混合する場合、却って養分吸収能が落ちることもある。
【００３５】
また、増量剤として無機増量剤と有機増量剤が単独で使われることもできるが、混合して使われる方がより好ましい。この場合、増量剤の総重量に基づいて無機増量剤３０乃至７０重量％及び有機増量剤３０乃至７０重量％の範囲内で混合することが好ましい。
【００３６】
上記養分吸収能を有する添加物を製造する段階において、上記高分子と増量剤が混合された後、混合物は８０乃至１００℃の温度で２０分乃至１時間乾燥される。ここで乾燥温度が８０℃未満の場合、過剰水分によって混合及び粉砕過程で原料同士が絡まる現象が発生する問題があり、１００℃を超える場合、混合物の一部が溶けて粘結済の役割をして塊が発生される問題があり得る。また、２０分未満乾燥する場合、適正水分以上含有することで均一な混合に問題が発生する場合があり、１時間を超えて乾燥する場合、熱効率が落ちる問題が生じる可能性がある。
【００３７】
上記乾燥した高分子と増量剤混合物、すなわち添加物は１５０メッシュ以下に粉砕され、好ましくは１００メッシュ以下に粉砕されるものであり、最も好ましくは８０メッシュ以下に粉砕されるものである。上記養分吸収能を有する添加剤を所定大きさ以下に粉砕することは、複合肥料製造時の養分吸収能を有する添加物が複合肥料粒子に均一に分布され、粒子内でマトリックスを形成するようにするからである。
【００３８】
（２）養分吸収能を有する添加物を用いた複合肥料の製造段階
【００３９】
上記養分吸収能を有する添加物と肥料成分を均一に混合及び乾燥してマトリックス型粒状複合肥料を製造する段階では上記添加物と肥料成分を均一に混合し、ドラム型、またはファン型造粒機を用いて造粒して粒状化し、次に、造粒された粒状を３００乃至４５０℃で３０乃至４０分間乾燥し、粒子内にマイクロカプセル型マトリックスを形成する。
【００４０】
上記添加物と肥料成分を均一に混合することは５０乃至１００ｒｐｍで５乃至１０分間撹拌して、均一化する。ここで、上記養分吸収能を有する添加物は肥料成分の重量に対して５乃至２５重量％の範囲内で混合することが好ましい。上記添加物が５重量％未満で添加される場合、粒子内のマトリックスの形成が困難になることがあり、２５重量％を超えて添加される場合、作物の初期生育に必要な養分の放出が足りないため、作物生育が低下される問題が生じる可能性がある。
【００４１】
次に、均一に混合した添加物と肥料成分を造粒して粒状化する。ここで、造粒はドラムまたはファン型造粒機を通じて造粒することが好ましい。
【００４２】
上記造粒時、スチームや水を噴霧して高分子と肥料養分が溶解されながら結合剤の役割をし、造粒後熱風と粒状化過程によって粒子内に高分子マトリックスが形成されながら造粒率及び硬さが増加することになる。
【００４３】
上記粒状化過程で上述した添加物の無機及び有機増量剤と高分子のマトリックス形成の役割によって粒子内で網状の構造を形成し、包装及び運送中の衝撃に対する耐性を向上させる。
【００４４】
上記造粒された粒状は３００乃至４５０℃で３０乃至４０分間乾燥して粒子内のマイクロカプセル型のマトリックスを形成する。ここで、３００℃未満で乾燥する場合、複合肥料粒子内の水分が高いため、保管中に潮解、固結が発生する問題があり、４５０℃を超えて乾燥する場合、高分子を含んだ有機増量剤が炭化されて養分吸収能が低下する問題が生じる可能性がある。
【００４５】
次に、冷却と選別工程を通じて選別した後、包装する工程を経て、最終的に遅効性を有するマトリックス型粒状複合肥料が得られる。
【００４６】
本発明に係る遅効性を有するマトリックス型粒状複合肥料が土壌に施肥される場合、複合肥料粒子が水を吸収して肥料成分が水に溶解されて、溶解された肥料成分は粒子に含有された養分吸収能を有する有機・無機増量剤と静電気的相互作用によって吸収保持される。また、高分子自体の養分保持能（静電気的相互作用）、水分保持能によって肥料粒子が水を吸収して崩壊されながら土壌空隙に染みこんで土壌−肥料−増量剤−高分子の間の相互作用によってマイクロカプセル型のマトリックスを形成するようになる。
【００４７】
上記肥料成分としては、この分野で一般的な肥料成分を使うことができ、これに限定されるものではないが、尿素、硫安、リン酸二アンモニウム、塩化カリウム、ケイ酸質などを使うことができる。
【００４８】
上記のような方法のみならず、上記添加物の製造段階及び複合肥料の製造段階を区分せずに、遅効性を有するマトリックス型粒状複合肥料を一段階に混合して製造することもできる。
【００４９】
また、作物別養分要求特性により的確に応えられる方法として上記で製造された遅効性を有する粒状複合肥料と特定の溶出期間を有する被覆肥料を混合して製造することもできる。
【００５０】
また、作物別養分要特性により的確に応えられる方法として上記で製造された遅効性を有する粒状複合肥料、特定の溶出期間を有する被覆肥料、及び窒素固定能を有し、リン酸とカリウム可溶化能を有する有用微生物と混合して製造することもできる。
【００５１】
以下、本発明を実施例によりさらに詳しく説明するが、本発明は以下の実施例に限定されるものではない。
【００５２】
製造例１
【００５３】
養分吸収能を有する添加剤の製造
【００５４】
無機増量剤（バーミキュライト）５０重量％と有機増量剤（腐植質）４０重量％を混合し、次に、ソジウムリグノスルホン酸（Ｓｏｄｉｕｍ  ｌｉｇｎｏｓｕｌｆｏｎａｔｅ）４．９重量％、ポリアクリルアミド０．１重量％、及びヒドロキシプロピルメチルセルロース５重量％を５０ｒｐｍで１０分間均質に混合した。次に、これを約９０℃で４０分間乾燥させた後、８０メッシュ以下の大きさに粉砕した。
【００５５】
実施例１
【００５６】
遅効性を有するマトリックス型粒状複合肥料の製造
【００５７】
上記製造例１で得られた養分吸収能を有する添加剤１０重量％、尿素１０重量％、硫安４０重量％、リン酸二アンモニウム１４重量％、塩化カリウム１２重量％及びケイ酸質１４重量％を混合した後、ファン型造粒機を用いて粒状に造粒し、引き続き造粒された粒状を４００℃から３０分間乾燥して粒子内にマイクロカプセル型のマトリックスを形成した粒状複合肥料を製造した。
【００５８】
実施例２
【００５９】
上記製造例１で得られた養分吸収能を有する添加剤１０重量％、尿素１８重量％、硫安３７重量％、リン酸二アンモニウム１４重量％、塩化カリウム１４重量％及びケイ酸質７重量％を混合した後、ファン型造粒機を用いて粒状に造粒し、引き続き造粒された粒状を４００℃から３０分間乾燥して粒子内マイクロカプセル型のマトリックスを形成した粒状複合肥料を製造した。
【００６０】
比較例１
【００６１】
一般複合肥料の製造
【００６２】
ベントナイト１０重量％、尿素１８重量％、硫安３７重量％、リン酸二アンモニウム１４重量％、塩化カリウム１４重量％及びケイ酸質７重量％を混合した後、ファン型造粒機を用いて粒状に造粒し複合肥料を製造した。
【００６３】
試験例１
【００６４】
本発明の実施例１によって製作された複合肥料（高分子+無機増量剤+有機増量剤+肥料）と比較例１の一般複合肥料（増量剤+肥料）に対する粒子の結合状態を蒸留水未処理及び蒸留水処理済に分けて光学顕微鏡（Ｎｉｋｏｎ  Ｅｃｌｉｐｓｅ ５０ｉ、２０００倍）で撮影し、図１及び図２に示した。
【００６５】
図１は一般複合肥料（ａ）及び本発明の複合肥料（ｂ）の粒子を切断して示したものであり、図２は一般複合肥料（ａ）及び本発明の複合肥料（ｂ）を粉状で示したものである。
【００６６】
図１及び図２によれば、本発明に係る複合肥料の粒子内に網状構造が形成されていることが確認できる。
【００６７】
試験例２
【００６８】
溶脱抑制能比較試験
【００６９】
上記実施例１のマトリックス型粒状複合肥料と上記比較例１の一般複合肥料に対する溶脱抑制能を評価し、その結果を以下の表１に示した。
【００７０】
溶脱抑制能試験方法：直径２．６ｃｍ及び長さ１３．５ｃｍの円筒状コラム下端にＮｏ．２の濾過紙３枚を敷いて、砂１０ｇを入れて押し堅めた。次に、砂の上にＮｏ．２の濾過紙１枚を敷いて、土３０ｇと上記実施例１または比較例１の試料（それぞれ０．５ｇ及び１ｇずつ）を混合して充填して押し堅めた。次に、土層の上にＮｏ．２の濾過紙１枚を敷いて、水６０ｍｌを上部から徐々に添加してコルク部分に水が到逹するとコルクを閉める。１２時間放置した後コルクを開けて水が土層まで溶脱される時間を調査した。
【００７１】
【表１】
2016522150.tif 000003
【００７２】
上記表１の結果から本発明に係るマトリックス型粒状複合肥料の溶脱抑制能が一般複合肥料に比べて、はるかに優れていることが分かる。
【００７３】
試験例３
【００７４】
遅効性マトリックス型粒状複合肥料の稲に対する生育増進効果試験
【００７５】
１．材料及び方法
【００７６】
−主材料：実施例１−遅効性を有するマトリックス型粒状複合肥料
【００７７】
実施例２−遅効性を有するマトリックス型粒状複合肥料
【００７８】
比較例１−従来の緩効性肥料
【００７９】
−試験作物：稲（品種：秋晴）
【００８０】
−試験方法：上記実施例１及び実施例２の複合肥料を田植えの４日前に施肥後ロータリ耕運機で肥料が土壌全体に万遍なく処理されるようにし、肥料の施肥量は１０ａ基準で実施例１では７３．３ｋｇ、実施例２では６１．１ｋｇ、及び比較例１の６１．１ｋｇを、それぞれ田植え前に全量を１回処理した。生育段階別に２回の生育を調査した。
【００８１】
調査項目は草高、分けつ数、葉色（ＳＰＡＤ値）を調査し、栽培管理は農村進興庁の水稲標準栽培法に準じた。
【００８２】
２．結果
【００８３】
全体的な生育は、以下の表２に示すように実施例１及び実施例２の複合肥料を田植え後３０日目及び６０日目の調査結果、慣行施肥で使った緩効性肥料である比較例１の肥料と比べると、草高、葉色、分けつ数はほぼ等しい結果を見せており、実施例１と実施例２は稲生育過程中、１回全量を基肥で処理してもその稲生育に及ぶ効果は持続して維持されることが分かった。
【００８４】
【表２】
2016522150.tif 000004
【００８５】
試験例４
【００８６】
遅効性を有するマトリックス型複合肥料の唐辛子に対する生育増進効果試験
【００８７】
１．材料及び方法
【００８８】
−主材料：実施例１−遅効性を有するマトリックス型粒状複合肥料
【００８９】
実施例２−遅効性を有するマトリックス型粒状複合肥料
【００９０】
比較例１−従来の緩効性肥料
【００９１】
−試験作物：唐辛子（品種：ブチョン）
【００９２】
−試験方法：上記実施例１及び実施例２の複合肥料と比較例１の緩効性肥料を定植の７日前に施肥後ロータリ耕運機で肥料が土壌全体に万遍なく処理されるようにし、肥料の施肥量は１０ａ基準で実施例１では１２６．６ｋｇ、実施例２では１０５．５ｋｇ及び比較例１では１０５．５ｋｇを、それぞれ定植前に全量を１回処理した。生育段階別で３回の生育を調査し、収穫時の最終収量を調査した。
【００９３】
調査項目は草高、葉色（ＳＰＡＤ値）、単位面積当たりの収穫量を調査し、栽培管理は農村振興庁の唐辛子標準栽培法に準じた。
【００９４】
２．結果
【００９５】
全体的な生育は、以下の表３のように実施例１と実施例２の定植後１０日目、２０日目及び３０日目の調査結果、慣行施肥で使った緩効性肥料である比較例１の肥料と比べると、草高、葉色は高い数値を見せており、以下の表４のように赤唐辛子の総収穫量は実施例２の収穫量が最も高く現われた。実施例１と実施例２は唐辛子の生育過程中、１回の全量を基肥で処理しても唐辛子の生育及び収量増大に及ぼす効果は持続して維持されることが分かった。
【００９６】
【表３】
2016522150.tif 000005
【００９７】
【表４】
2016522150.tif 000006
【図１】
2016522150.tif 000007
【図２】
2016522150.tif 000008
【国際調査報告】
2016522150.tif 000009
2016522150.tif 000010
2016522150.tif 000011
2016522150.tif 000012